(57)【要約】      （修正有）【課題】被測定者の寝姿勢によらず、睡眠中の無呼吸をより検出しやすくすることができるドップラーセンサ内蔵まくらを提供する。【解決手段】まくら１０の内部であって、長手方向の中央部より当該長手方向の一方の端部側にずれた位置、かつ、短手方向の中央部より当該短手方向の一方の端部側にずれた位置に、短手方向の一方の端部側に電波の発信面が向くような姿勢で、ドップラーセンサ１３を内蔵させることにより、被測定者の睡眠中における呼吸によって動く胸および心臓とドップラーセンサ１３との距離が小さくなるようにして、呼吸による胸の動きおよび拍動を検出しやすい状態とするとともに、被測定者が寝返りをうったときに、ドップラーセンサ１３により検出される体動の信号波形の振幅が大きなものとなるようにして、寝返りによる動きであることを明確に認識することができるようにする。【選択図】図１
0003213216.tif 000002
【実用新案登録請求の範囲】
【請求項１】
被測定者が横臥するときに上記被測定者の頭部を支えるためのまくらの内部であって、長手方向の中央部より当該長手方向の一方の端部側にずれた位置、かつ、短手方向の中央部より当該短手方向の一方の端部側にずれた位置に、上記短手方向の一方の端部側に電波の発信面が向くような姿勢で、ドップラーセンサを内蔵したことを特徴とするドップラーセンサ内蔵まくら。
【請求項２】
上記まくは、枕主体と、当該枕主体を覆う枕カバーとから構成され、
上記ドップラーセンサは、上記枕主体の内部に配置されていることを特徴とする請求項１に記載のドップラーセンサ内蔵まくら。
【請求項３】
上記まくは、枕主体と、当該枕主体を覆う枕カバーとから構成され、
上記ドップラーセンサは、上記枕主体の外部で上記枕カバーよりも内側に配置されていることを特徴とする請求項１に記載のドップラーセンサ内蔵まくら。
【請求項４】
上記枕主体は、上記ドップラーセンサの位置および姿勢を固定するための支持部材を少なくとも一部に備えることを特徴とする請求項２または３に記載のドップラーセンサ内蔵まくら。
【請求項５】
上記まくらの内部であって、上記長手方向の中央部より当該長手方向の他方の端部側にずれた位置、かつ、短手方向の中央部より当該短手方向の一方の端部側にずれた位置に、上記短手方向の一方の端部側に電波の発信面が向くような姿勢で、第２のドップラーセンサを更に内蔵したことを特徴とする請求項１〜４の何れか１項に記載のドップラーセンサ内蔵まくら。
【考案の詳細な説明】
【技術分野】
【０００１】
本考案は、ドップラーセンサ内蔵まくらに関するものである。
【背景技術】
【０００２】
睡眠時無呼吸症候群は、睡眠時に呼吸停止または低呼吸になる病気である。この病気は自覚症状が弱い場合が多い。これに対して従来、睡眠中の体動または加速度を検出して無呼吸状態を検出する技術が知られている（例えば、特許文献１〜３参照）。
【０００３】
特許文献１〜３に記載の睡眠時無呼吸検査装置は、三次元の加速度センサと、加速度センサから得られるＤＣ成分から被測定者の寝姿勢を検出するとともに、加速度センサから得られるＡＣ成分から被測定者の呼吸数や心拍数を検出する信号処理手段とを備え、１台の加速度センサから、睡眠検査や睡眠時無呼吸検査に必要な情報を得ることができるようになされている。
【０００４】
しかしながら、呼吸によって得られる加速度はそれほど大きな値ではないため、呼吸状態か無呼吸状態かのどちらかを誤って推定してしまうことがあるという問題があった。また、被測定者がうつ伏せまたは横向きになって寝ていると、呼吸によって得られる加速度が更に小さくなるため、誤判定が多くなってしまうことがあるという問題があった。
【０００５】
一方、ドップラーセンサ（またはドップラーレーダ）を用いて呼吸を検出するようになされた従来技術も知られている（例えば、特許文献４〜６参照）。特許文献４に記載の睡眠評価装置では、ベッド脇の枕元に設置したドップラーセンサから出力された電波を就寝中の被測定者の主に胸元、肩などの辺りに到達させ、そこからの反射波の周波数の変化をセンサ信号として入力することにより、被測定者の呼吸に伴う体動（胸の動き）を検出する。
【０００６】
特許文献５に記載の睡眠段階判定装置では、被測定者が横たわった寝具の下に設置された１つのマイクロ波レーダにより検知された振動に基づいて、被測定者の呼吸の間隔を抽出する。また、特許文献６に記載の放射線撮影システムでは、被測定者の近傍に配置されたドップラーセンサにより、呼吸による被測定者の動態を検出する。
【先行技術文献】
【特許文献】
【０００７】
【特許文献１】特開２００６−２４７３７４号公報
【特許文献２】特開２００６−３２０７３３号公報
【特許文献３】特開２００６−３２０７３４号公報
【特許文献４】特開２０１２−１８７３４９号公報
【特許文献５】特開２０１５−９７６３６号公報
【特許文献６】特開２０１５−２０８４４３号公報
【考案の概要】
【考案が解決しようとする課題】
【０００８】
体動センサとしてドップラーセンサを用いることにより、加速度センサを用いる場合に比べて、被測定者の寝姿勢によらず、呼吸による体動が比較的検出しやすくなる。しかしながら、上記特許文献４〜６に記載の従来技術においても、被測定者の寝姿勢による影響を全く受けないわけではない。ドップラーセンサにより検出される信号波形は、被測定者の呼吸に伴う胸の動きを表わす波形と、寝返りなどの呼吸以外の体動を表わす波形とを含む合成波であり、呼吸に伴う体動による波形と呼吸以外の体動による波形との分離が難しいからである。
【０００９】
本考案は、このような問題を解決するために成されたものであり、被測定者の寝姿勢によらず、睡眠中の無呼吸をより検出しやすくすることができるようにすることを目的とする。
【課題を解決するための手段】
【００１０】
上記した課題を解決するために、本考案では、まくらの内部であって、長手方向の中央部より当該長手方向の一方の端部側にずれた位置、かつ、短手方向の中央部より当該短手方向の一方の端部側にずれた位置に、短手方向の一方の端部側に電波の発信面が向くような姿勢で、ドップラーセンサを内蔵させるようにしている。
【考案の効果】
【００１１】
被測定者の睡眠中における呼吸状態を検出する際に、上記のように構成した本考案を用いると、呼吸によって動く胸とドップラーセンサとの距離が小さくなるので、呼吸に伴いドップラーセンサにより検出される体動の信号波形の振幅が大きくなり、呼吸による胸の動きを検出しやすい状態とすることができる。また、呼吸の状態によって心臓の拍動も変化するが、上記のように構成した本考案を用いると、心臓とドップラーセンサとの距離も小さくなるので、ドップラーセンサにより検出される拍動の信号波形の振幅も大きくなり、拍動を検出しやすい状態とすることができる。一方、被測定者が寝返りをうつと、被測定者とドップラーセンサとの距離が小さいので、寝返り時にドップラーセンサにより検出される体動の信号波形の振幅は大きなものとなり、寝返りによる動きであることを明確に認識することができる。これにより、本考案のドップラーセンサ内蔵まくらを用いて測定を行えば、被測定者の寝姿勢によらず、睡眠中の無呼吸をより検出しやすくすることができる。
【図面の簡単な説明】
【００１２】
【図１】本実施形態によるドップラーセンサ内蔵まくらの一構成例を示す図である。
【図２】本実施形態のドップラーセンサ内蔵まくらを被測定者が使用して横臥している状態を示す図である。
【図３】本実施形態によるドップラーセンサ内蔵まくらの他の構成例を示す図である。
【図４】本実施形態によるドップラーセンサ内蔵まくらの他の構成例を示す図である。
【図５】本実施形態によるドップラーセンサ内蔵まくらの他の構成例を示す図である。
【考案を実施するための形態】
【００１３】
以下、本考案の一実施形態を図面に基づいて説明する。図１は、本実施形態によるドップラーセンサ内蔵まくらの構成例を示す図であり、（ａ）は平面図、（ｂ）は側面図を示している。
【００１４】
図１に示すように、本実施形態のドップラーセンサ内蔵まくら１０は、睡眠中の呼吸や心拍を測定する際に用いて好適なものであり、被測定者が横臥するときに被測定者の頭部を支えるためのまくらである。本実施形態のドップラーセンサ内蔵まくら１０は、クッション材となる内容物を充填する枕主体１１と、当該枕主体１１を覆う枕カバー１２とから構成される。
【００１５】
枕主体１１に充填されるクッション材は、発砲ビーズ、ウレタンチップ、ソフトパイプ、ポリエステル綿、そば殻、ひのきチップなど、あらゆる素材を用いることが可能である。ただし、枕主体１１の中に充填したときに枕主体１１の形状が比較的安定して維持される素材を用いるのが好ましい。例えば、ポリエステル材またはウレタン材などの軟性樹脂材料で弾力性に富むものが好ましい。
【００１６】
なお、枕主体１１は、内容物を充填するタイプのものに限らない。例えば、低反発のウレタンフォームなどで、形状が比較的安定して維持されるように構成したものを枕主体１１とすることも可能である。また、竹材を編んで形成された、内部が空洞の構成を枕主体１１とすることも可能である。その他、形状記憶材を用いて構成したものを枕主体１１とすることも可能である。
【００１７】
枕カバー１２は、枕主体１１に対して着脱可能に構成されたカバー材であり、その素材は任意である。枕カバー１２を枕主体１１に取り付けた場合、枕カバー１２は枕主体１１の全体を覆う。なお、本実施形態のドップラーセンサ内蔵まくら１０において、枕カバー１２を備えることは必須ではない。
【００１８】
本実施形態のドップラーセンサ内蔵まくら１０は、その内部にドップラーセンサ１３を備えている。内部というのは、具体的には、枕主体１１の内部を意味する。より具体的には、図１に示すように、ドップラーセンサ１３は、枕主体１１の長手方向の中央部より当該長手方向の一方の端部側にずれた位置、かつ、短手方向の中央部より当該短手方向の一方の端部側にずれた位置に、短手方向の一方の端部側に電波の発信面が向くような姿勢で内蔵されている。
【００１９】
図１の例では、左右方向がまくらの長手方向であり、前後方向（図の上側が、被測定者が横臥したときの登頂側に当たる前方向）がまくらの短手方向であるものとして説明する。この場合、ドップラーセンサ１３は、枕主体１１の長手方向の右端の位置、かつ、短手方向の後端の位置に、短手方向の後端側（被測定者が横臥したときの身体側に当たる方向）に電波の発信面が向くような姿勢で内蔵されている。
【００２０】
図２は、本実施形態のドップラーセンサ内蔵まくら１０を被測定者が使用して横臥している状態を示す図である。図２に示すように、被測定者の睡眠中における呼吸状態を検出するために、被測定者がドップラーセンサ内蔵まくら１０を使用するときは、ドップラーセンサ１３が被測定者の身体の方を向くような向きにして使用する。このようにすることにより、呼吸によって動く胸とドップラーセンサ１３との距離が小さくなる。
【００２１】
被測定者の胸とドップラーセンサ１３との距離が小さくなるので、呼吸に伴いドップラーセンサ１３により検出される体動の信号波形の振幅が大きくなり、呼吸による胸の動きを検出しやすい状態とすることができる。また、呼吸の状態によって心臓の拍動も変化するが、本実施形態のドップラーセンサ内蔵まくら１０を用いると、心臓とドップラーセンサ１３との距離も小さくなるので、ドップラーセンサ１３により検出される拍動の信号波形の振幅も大きくなり、拍動を検出しやすい状態とすることができる。
【００２２】
一方、被測定者が寝返りをうつと、被測定者とドップラーセンサ１３との距離が小さいので、寝返り時にドップラーセンサ１３により検出される体動の信号波形の振幅は大きなものとなり、寝返りによる動きであることを明確に認識することができる。以上により、本実施形態のドップラーセンサ内蔵まくら１０を用いて測定を行えば、被測定者の寝姿勢によらず、睡眠中の無呼吸をより検出しやすくすることができる。
【００２３】
なお、上記図１に示した構成は、本考案のドップラーセンサ内蔵まくらを実現するための１つの構成例を示したものに過ぎず、これに限定されるものではない。例えば、図３に示すように、ドップラーセンサ１３は、枕主体１１の外部で枕カバー１２よりも内側に配置するようにしてもよい。
【００２４】
また、図４に示すように、ドップラーセンサ１３が短手方向の一方の端部側に電波の発信面が向くような姿勢を十分に保てるようにすることを目的として、枕主体１１’は、ドップラーセンサ１３の位置および姿勢を固定するための支持部材１４を少なくとも一部に備えてもよい。支持部材１４は、例えば、軟性樹脂材や竹材などで構成することが可能である。
【００２５】
図４の例では、枕主体１１’の短手方向の後端側の位置に、長手方向の左端から右端までの全域にわたって、断面が略コの字状の支持部材１４を設け、その内側にドップラーセンサ１３を配置している。なお、ここでは、支持部材１４の断面を略コの字状に形成しているが、この形成に限定されるものではない。また、ここでは、長手方向の左端から右端までの全域にわたって支持部材１４を設ける構成としているが、ドップラーセンサ１３が配置される位置の周辺だけに支持部材１４を設ける構成としてもよい。
【００２６】
また、図５に示すように、ドップラーセンサ１３を２つ設ける構成としてもよい。すなわち、図５の例では、図１に示したのと同じ位置に第１のドップラーセンサ１３-1を設けるとともに、それとは別の位置に第２のドップラーセンサ１３-2を設けている。
【００２７】
第２のドップラーセンサ１３-2は、まくらの内部であって、長手方向の中央部より当該長手方向の他方の端部側にずれた位置、かつ、短手方向の中央部より当該短手方向の一方の端部側にずれた位置に、短手方向の一方の端部側に電波の発信面が向くような姿勢で内蔵される。図５に示す例では、第２のドップラーセンサ１３-2は、枕主体１１の内部であって、枕主体１１の長手方向の左端の位置、かつ、短手方向の後端の位置に、短手方向の後端側に電波の発信面が向くような姿勢で内蔵されている。
【００２８】
このように、２つのドップラーセンサ１３-1，１３-2を設けた場合、被測定者がどの方向に寝返りをうっても、少なくとも一方のドップラーセンサと被測定者の胸および心臓との距離が小さくなるので、呼吸による胸の動きおよび拍動を常に検出しやすい状態とすることができる。また、被測定者が寝返りをうつと、２つのドップラーセンサ１３-1，１３-2で検出される信号波形の振幅の差が大きくなるので、寝返りによる動きであることをより明確に認識することができる。
【００２９】
また、上記実施形態では、枕主体１１の断面形状が長方形である例について説明したが、正方形であってもよい。この場合、一辺の方向を長手方向とみなし、それに直行する他の辺の方向を短手方向とみなして、上記実施形態と同様にドップラーセンサ１３を内蔵する。
【００３０】
その他、上記各実施形態は、何れも本考案を実施するにあたっての具体化の一例を示したものに過ぎず、これらによって本考案の技術的範囲が限定的に解釈されてはならないものである。すなわち、本考案はその要旨、またはその主要な特徴から逸脱することなく、様々な形で実施することができる。
【符号の説明】
【００３１】
１０  ドップラーセンサ内蔵まくら
１１  枕主体
１２  枕カバー
１３  ドップラーセンサ
１４  支持部材
【図１】
0003213216.tif 000003
【図２】
0003213216.tif 000004
【図３】
0003213216.tif 000005
【図４】
0003213216.tif 000006
【図５】
0003213216.tif 000007
【手続補正書】
【提出日】平成29年8月25日(2017.8.25)
【手続補正１】
【補正対象書類名】実用新案登録請求の範囲
【補正対象項目名】全文
【補正方法】変更
【補正の内容】
【実用新案登録請求の範囲】
【請求項１】
被測定者が横臥するときに上記被測定者の頭部を支えるためのまくらの内部であって、長手方向の中央部より当該長手方向の一方の端部側にずれた位置、かつ、短手方向の中央部より当該短手方向の一方の端部側にずれた位置に、上記短手方向の一方の端部側に電波の発信面が向くような姿勢で、ドップラーセンサを内蔵したことを特徴とするドップラーセンサ内蔵まくら。
【請求項２】
上記まくらは、枕主体と、当該枕主体を覆う枕カバーとから構成され、
上記ドップラーセンサは、上記枕主体の内部に配置されていることを特徴とする請求項１に記載のドップラーセンサ内蔵まくら。
【請求項３】
上記まくらは、枕主体と、当該枕主体を覆う枕カバーとから構成され、
上記ドップラーセンサは、上記枕主体の外部で上記枕カバーよりも内側に配置されていることを特徴とする請求項１に記載のドップラーセンサ内蔵まくら。
【請求項４】
上記枕主体は、上記ドップラーセンサの位置および姿勢を固定するための支持部材を少なくとも一部に備えることを特徴とする請求項２または３に記載のドップラーセンサ内蔵まくら。
【請求項５】
上記まくらの内部であって、上記長手方向の中央部より当該長手方向の他方の端部側にずれた位置、かつ、短手方向の中央部より当該短手方向の一方の端部側にずれた位置に、上記短手方向の一方の端部側に電波の発信面が向くような姿勢で、第２のドップラーセンサを更に内蔵したことを特徴とする請求項１〜４の何れか１項に記載のドップラーセンサ内蔵まくら。